(57)【要約】【課題】従来よりも処理水の配管の周辺雰囲気が不衛生とはなり難い屋内プールの空調システムを提供しようとするもの。【解決手段】水槽１内のプール水２を浄化する配管類３が配設され、プール室内の空気が調整され再びプール室内に循環されると共に、前記プール室内の空気は配管類３が配設された空間９を介して循環されるようにした。プール室内の空気は配管類が配設された空間を介して循環されるようにしたので、配管類が配設された空間の空気はそこにそのまま留まっているのではなく循環することとなって澱むことなく湿気がこもり難くなる。【選択図】図１
2008261515.tif 000002
【特許請求の範囲】
【請求項１】
水槽１内のプール水２を浄化する配管類３が配設され、プール室内の空気が調整され再びプール室内に循環されると共に、前記プール室内の空気は配管類３が配設された空間９を介して循環されるようにしたことを特徴とする屋内プールの空調システム。
【請求項２】
前記配管類３が配設された空間９はプール水槽１の外面に形成した請求項１記載の屋内プールの空調システム。
【請求項３】
前記調整された空気はプールサイド10周囲からプール室内に噴出するようにしていると共に利用者の足元から空気が吹き出すようにした請求項１又は２記載の屋内プールの空調システム。
【発明の詳細な説明】
【技術分野】
【０００１】
この発明は、例えばフィットネスクラブその他における屋内プールの空調システムに関するものである。
【背景技術】
【０００２】
水中では身体の負担を少なくして効果的な運動をすることができ、フィットネスクラブ（例えば、非特許文献１）などのプールでの有酸素運動は現代人の健康増進にとって極めて効果的と考えられる。この有酸素運動は全身持久力向上に役立つだけでなく、体内の糖代謝、脂肪代謝を改善するので生活習慣病の予防・治療に役立ち、メタボリック症候群（生活習慣病予備群）や軽度な身体障害等がある場合にも有効である。
ところで、プールではその表面に浮かんだ毛髪その他のゴミを含む水を側端辺からオーバー・フローさせて回収し、このオーバーフロー水４を配管を通じて機械室等に導いてろ過機などで浄化し、必要に応じて熱交換器で加熱し、清浄となった処理水を再びプールへと戻す循環経路を形成している。
しかし、前記プールでは処理水の配管の周辺雰囲気がじめじめと湿った環境となって不衛生となり易いという問題があった。また、配管周りに結露して設備が早期に消耗したりするようなこともあった。
現代人の健康管理に誠に大きな意義を有するプール施設の充実は、高いレベルで求められるところである。
【非特許文献１】スポーツクラブアクトス“トップページ”、インターネット＜ＵＲＬ：http://www.axtos.com/＞
【発明の開示】
【発明が解決しようとする課題】
【０００３】
そこでこの発明は、従来よりも処理水の配管の周辺雰囲気が不衛生とはなり難い屋内プールの空調システムを提供しようとするものである。
【課題を解決するための手段】
【０００４】
前記課題を解決するためこの発明では次のような技術的手段を講じている。
(１)この屋内プールの空調システムは、水槽内のプール水を浄化する配管類が配設され、プール室内の空気が調整(例えば温度や湿度)され再びプール室内に循環されると共に、前記プール室内の空気は配管類が配設された空間を介して循環されるようにしたことを特徴とする。
この屋内プールの空調システムは、プール室内の空気は配管類が配設された空間を介して循環されるようにしたので、配管類が配設された空間の空気はそこにそのまま留まっているのではなく循環することとなって澱むことなく湿気がこもり難くなる。
(２)また、前記配管類が配設された空間はプール水槽の外面に形成したこととしてもよい。
このように構成すると、冬季等の寒い時期には暖かくなるように調整した空気により、プール水槽の外面(側周面でもよいし下側(底)面でもよいしその両方でもよい)の配管類が配設された空間も暖かい状態となり、この暖気が隔壁を介してプール水自体にも伝導することとなってプール水を周囲の壁面から暖かく保持することができる。
(３)さらに、前記調整された空気はプールサイド周囲からプール室内に噴出するようにしていると共に利用者の足元から空気が吹き出すようにしたこととしてもよい。
このように構成すると、利用者が休憩している際に足元が風に吹かれて非常に気持ちがよい。
【発明の効果】
【０００５】
この発明は上述のような構成であり、次の効果を有する。
配管類が配設された空間の空気はそこにそのまま留まっているのではなく循環することとなって澱むことなく湿気がこもり難くなるので、従来よりも処理水の配管の周辺雰囲気が不衛生とはなり難い屋内プールの空調システムを提供することができる。
【発明を実施するための最良の形態】
【０００６】
以下、この発明の実施の形態を説明する。
図１及び図２に示すように、この実施形態の屋内プールの空調システムは、水槽１内のプール水２を浄化する配管類３が配設されている。プール水２の浄化はポンプ(図示せず)により配管類３を介してプール水２を引き出し砂濾過器等(図示せず)を通し浄化し、熱交換して昇温させ (特に寒い時期など)再びプール水槽１に戻すようにしている。またプール水２の残留塩素濃度が所定の数値となるように調整している。砂濾過機やポンプなどの浄化装置は機械室(図示せず)を設けてそこに設置した。なお、プール脇からのオーバーフロー水４も併せて浄化処理している。
一方、プール室内の空気が調整され、再びプール室内に循環されるようにしている。具体的には、プール室内上部の壁面５から空気をポンプ６で引き出し、エアーハンドリングユニット７でフレッシュな外気８と混合し、ボイラー等の熱源で温度・湿度を調整して室内に戻して循環するようにしている。
【０００７】
ここで、前記プール室内の空気は、配管類３が配設された空間９
(プール水槽１の外面に形成)を介して循環されるようにしている。プール水槽１の外面とはプールの下側(底)面でもよいが、この実施形態では側周面(プールサイド四周)の全周とした。すなわち、前記配管類３が配設された空間９は、プール外周の全周をぐるっと取り巻く「ロ」の字状のトンネルのような通路としている。
さらに、前記調整された空気はプールサイド10周囲からプール室内に噴出するようにしている。図２に示すように、噴出し口を段状に形成して利用者がこの上に座って足元から空気が吹き出すようにしている。この吹き出し機構にはダクトは存在しないので、プール室内からは空調設備が一切見えず非常にすっきりとした外観とすることができる。
このようにプール底面にプール外周を取り巻くトンネルのような通路を設け、エアーハンドリングユニット７で外気８と内気を混合し、さらにボイラー等の熱源を利用して温度・湿度を調整した空気を配管類３が配設された空間９を介して送風するようにしている。プール室内の足元に噴出した温度・湿度を調整された空気は、再び壁面５のエアーハンドリングユニット７から吸い込んで、温度・湿度を調整してプール底面のトンネル通路を通してプール室内に吹き戻すようにしている。
【０００８】
次に、この実施形態の屋内プールの空調システムの使用状態を説明する。
この屋内プールの空調システムは、プール室内の空気は配管類３(周囲に水分が結露し易い)が配設された空間９を介して循環されるようにしたので、配管類３が配設された空間９の空気はそこにそのまま留まっているのではなく循環することとなって澱むことなく湿気がこもり難くなり、従来よりも処理水の配管の周辺雰囲気が不衛生とはなり難いという利点を有する。
また、前記配管類３が配設された空間９はプール水槽１の外面に形成しており、冬季等の寒い時期には暖かくなるように調整した空気により、プール水槽１の外面の配管類３が配設された空間９も暖かい状態となり、この暖気が隔壁を介してプール水２自体にも伝導することとなってプール水２を周囲の壁面５から暖かく保持することができるという利点を有する。
さらに、前記調整された空気はプールサイド10周囲からプール室内に噴出するようにしていると共に噴出し口を段状に形成して利用者がここに座って足元から空気が吹き出すようにしたので、座って休憩している際に足元が風に吹かれて非常に気持ちがよいという利点がある。
【０００９】
この実施形態の屋内プールの空調システムによると、次のような利点も有する。
（1）プールの配管室が湿っていると蚊やハエなどの害虫が発生しやすい環境となるが、この実施形態では配管室もドライな環境となるように空気循環しているので、害虫の発生を効果的に抑制することができるという利点を有する。近年プールではユスリ蚊の発生が問題視されており、この問題を解決する重要な手段となる。
（2）従来はプール室内にエアコンを設置したり機械室にエアーハンドリングユニットを設置し外気を取り込み空調ダクトを通じてプール室内に調整された空気を送り込んだりしており、プール室内の塩素雰囲気による空調設備の早期の老朽化や腐食など見た目の汚れの改善が求められていたが、この実施形態ではプール室内にエアコンや空調ダクトは存在せず従ってこれらの老朽化などによって美的環境が損なわることはないという利点を有する。
【産業上の利用可能性】
【００１０】
従来よりも処理水の配管の周辺雰囲気が不衛生とはなり難いことによって、種々の空調システムの用途に適用することができる。
【図面の簡単な説明】
【００１１】
【図１】この発明の屋内プールの空調システムの実施形態を説明する断面図。
【図２】図１の屋内プールの空調システムを説明する図面代用写真。
【符号の説明】
【００１２】
１  水槽
２  プール水
３  配管類
９  配管類が形成された空間
10  プールサイド
【図１】
2008261515.tif 000003
【図２】
2008261515.tif 000004